(57)【要約】【課題】所定の地区毎に配布される情報伝達媒体（例えば新聞）のテレビ番組情報欄と一体となったチャンネルプリセットを容易に行なう。【解決手段】所定の地区毎に視聴可能な放送局のチャンネルポジションに対応して、該チャンネルポジションおよびその周波数を割り付けた情報テーブルを記憶するための情報テーブル記憶部（例えばＦＬＡＳＨＲＯＭ１１）と、視聴者の指定に基づいて、所定の地区毎に配布される情報伝達媒体（例えば新聞）のテレビ番組情報欄に掲載されている放送局に対応するように、情報テーブルから該当する一連のチャンネルポジションをチャンネルパターンとして抽出記憶するためのチャンネルプリセット記憶部（例えばＦＬＡＳＨＲＯＭ１１）を備え、情報伝達媒体のテレビ番組情報欄と一体となったチャンネルプリセットを行なう。【選択図】          図１
2004247938.tif 000002
【特許請求の範囲】
【請求項１】
複数の受信チャンネルポジション毎に放送局の周波数を割り付け設定する機能を有し、いずれかのチャンネルポジションを指定すると、該チャンネルポジションに設定された周波数に基づきチューナユニットを制御して、テレビジョン放送の受信を行なうテレビジョン受信機において、
所定の地区毎に視聴可能な放送局のチャンネルポジションに対応して、該放送局のチャンネルポジションおよび該チャンネルポジションの周波数を割り付けた情報テーブルを記憶するための情報テーブル記憶部と、
視聴者の指定に基づいて、前記所定の地区毎に配布される情報伝達媒体のテレビ番組情報欄に掲載されている放送局に対応するように、前記情報テーブルから該当する一連のチャンネルポジションをチャンネルパターンとして抽出記憶するためのチャンネルプリセット記憶部とを備え、
前記情報伝達媒体のテレビ番組情報欄と一体となったチャンネルプリセットを行なうことを特徴とするテレビジョン受信機。
【請求項２】
前記情報テーブルを管理して視聴者に配布するサービスセンターとの間でデータの送受信を行なうためのポートを備え、
所定のタイミングで前記サービスセンターから前記情報テーブルに関するデータを受信することにより、前記情報テーブル記憶部に記憶された前記情報テーブルを更新することを特徴とする請求項１記載のテレビジョン受信機。
【請求項３】
前記情報テーブルを管理して視聴者に配布するサービスセンターからデジタル放送を通じてデータの受信を行なうとともに、前記サービスセンターは、前記情報テーブルに関する電子データを常時送信し続け、
所定のタイミングで前記情報テーブルに関するデータを受信することより、前記情報テーブル記憶部に記憶された前記情報テーブルを更新することを特徴とする請求項１または２記載のテレビジョン受信機。
【請求項４】
前記情報テーブル記憶部に前記情報テーブルが存在しない場合に、
視聴者がチャンネルプリセットを行なう際に前記サービスセンターから前記情報テーブルに関するデータを受信することにより、前記チャンネルプリセット記憶部において、前記所定の地区毎に配布される情報伝達媒体のテレビ番組情報欄に掲載されている放送局に対応するように一連のチャンネルポジションをチャンネルパターンとして抽出記憶し、
前記情報伝達媒体のテレビ番組情報欄と一体となったチャンネルプリセットを行なうことを特徴とする請求項２記載のテレビジョン受信機。
【請求項５】
前記情報テーブルを管理して視聴者に配布するサービスセンターからデジタル放送を通じてデータの受信を行なうとともに、前記サービスセンターは、前記情報テーブルに関する電子データを常時送信し続け、
前記情報テーブル記憶部に前記情報テーブルが存在しない場合に、
視聴者がチャンネルプリセットを行なう際に前記サービスセンターから前記情報テーブルに関するデータを受信することにより、前記チャンネルプリセット記憶部において、前記所定の地区毎に配布される情報伝達媒体のテレビ番組情報欄に掲載されている放送局に対応するように一連のチャンネルポジションをチャンネルパターンとして抽出記憶し、
前記情報伝達媒体のテレビ番組情報欄と一体となったチャンネルプリセットを行なうことを特徴とする請求項２記載のテレビジョン受信機。
【発明の詳細な説明】
【０００１】
【発明の属する技術分野】
本発明は、衛星テレビ放送および地上波テレビ放送を受信可能なテレビジョン受信機に関する。
【０００２】
【従来の技術】
従来、視聴者の居住地である地区コードや視聴者の自宅電話番号を入力することにより、チャンネルのプリセットを容易に設定することが可能な機能を有するテレビジョン受信機が種々提案されている。
【０００３】
【発明が解決しようとする課題】
現在、我が国におけるテレビ放送において、アナログ放送からデジタル放送への移行が予定されている。また、地上波の他に、衛星放送など放送形態の多様化が進んでいる。特に、地上波アナログ放送から地上波デジタル放送へ移行する際には、中継局の新設や廃止が進み、その結果、チャンネルの新設および廃止も随時行われ、チャンネルプリセットも頻繁に行なわなければならないことが想定される。
【０００４】
また、視聴者が居住する地区や、放送波の移行時期によってチャンネル変更タイミングが異なる。このため、正確なチャンネルプリセットを行なうには、テレビジョン受信機に記憶された情報テーブルが最新のチャンネルポジションと周波数を割り付けた情報テーブルに更新されていることが必要である。
【０００５】
しかしながら、現在のテレビジョン受信機に搭載されているチャンネルプリセット機能では、このようなチャンネルの新設および廃止については想定されていないのが現状である。
【０００６】
また、テレビジョン受信機には、受信可能周波数を自動的に取得（オートスキャン）するものもあるが、視聴者にとって、登録されるチャンネルが馴染みの無いものであったり、登録順番に戸惑ってしまったり、さらにはチャンネルプリセット操作そのものを容易に理解できないことが想定される。
【０００７】
本発明は、上述した事情に鑑みてなされたもので、例えば新聞のような所定の地区毎に配布される情報伝達媒体のテレビ番組情報欄と一体となったチャンネルプリセットを容易に行なうことが可能なテレビジョン受信機を提供することを目的とする。
【０００８】
【課題を解決するための手段】
本発明に係るテレビジョン受信機は、上述した目的を達成するため、以下の特徴点を備えている。
【０００９】
本発明に係るテレビジョン受信機は、複数の受信チャンネルポジション毎に放送局の周波数を割り付け設定する機能を有し、いずれかのチャンネルポジションを指定すると、該チャンネルポジションに設定された周波数に基づきチューナユニットを制御して、テレビジョン放送の受信を行なうテレビジョン受信機において、所定の地区毎に視聴可能な放送局のチャンネルポジションに対応して、該放送局のチャンネルポジションおよび該チャンネルポジションの周波数を割り付けた情報テーブルを記憶するための情報テーブル記憶部と、視聴者の指定に基づいて、前記所定の地区毎に配布される情報伝達媒体のテレビ番組情報欄に掲載されている放送局に対応するように、前記情報テーブルから該当する一連のチャンネルポジションをチャンネルパターンとして抽出記憶するためのチャンネルプリセット記憶部とを備え、前記情報伝達媒体のテレビ番組情報欄と一体となったチャンネルプリセットを行なうことを特徴とするものである。
【００１０】
すなわち、本発明に係るテレビジョン受信機は、チャンネルポジションのプリセット機能を有し、視聴者が居住している地区で視聴可能な放送局に関する情報を予め記憶しておき、視聴者が指定を行なうと、新聞、テレビ番組情報誌等のテレビ番組情報欄に掲載されている放送局に対応するようにチャンネルパターンを抽出して記憶するようになっている。そして、このような構成を備えることにより、新聞、テレビ番組情報誌等に掲載されているテレビ番組情報欄と一体となったチャンネルプリセットを容易に行なうことができる。
【００１１】
また、本発明に係るテレビジョン受信機は、前記情報テーブルを管理して視聴者に配布するサービスセンターとの間でデータの送受信を行なうためのポートを備え、所定のタイミングで前記サービスセンターから前記情報テーブルに関するデータを受信することにより、前記情報テーブル記憶部に記憶された前記情報テーブルを更新することを特徴とするものである。
【００１２】
すなわち、本発明に係るテレビジョン受信機は、必要に応じて、電話回線等を介してサービスセンターとの間でデータの送受信を行ない、情報テーブルを更新するようになっている。そして、このような構成を備えることにより、常に最新の情報テーブルを備えることができ、中継局の新設や廃止等に対応することができる。
【００１３】
また、本発明に係るテレビジョン受信機は、前記情報テーブルを管理して視聴者に配布するサービスセンターからデジタル放送を通じてデータの受信を行なうとともに、前記サービスセンターは、前記情報テーブルに関する電子データを常時送信し続け、所定のタイミングで前記情報テーブルに関するデータを受信することより、前記情報テーブル記憶部に記憶された前記情報テーブルを更新することを特徴とするものである。
【００１４】
すなわち、本発明に係るテレビジョン受信機は、電話回線等を介することなく、デジタル放送を通じてサービスセンターからデータを受信し、情報テーブルを更新するようになっている。そして、このような構成を備えることにより、回線接続等の操作を行なうことなく、常に最新の情報テーブルを備えることができ、中継局の新設や廃止等に対応することができる。
【００１５】
また、本発明に係るテレビジョン受信機は、前記情報テーブル記憶部に前記情報テーブルが存在しない場合に、視聴者がチャンネルプリセットを行なう際に前記サービスセンターから前記情報テーブルに関するデータを受信することにより、前記チャンネルプリセット記憶部において、前記所定の地区毎に配布される情報伝達媒体のテレビ番組情報欄に掲載されている放送局に対応するように一連のチャンネルポジションをチャンネルパターンとして抽出記憶し、前記情報伝達媒体のテレビ番組情報欄と一体となったチャンネルプリセットを行なうことを特徴とするものである。
【００１６】
すなわち、本発明に係るテレビジョン受信機は、情報テーブル記憶部にチャンネルパターンが記憶されていない場合に、電話回線等を介してサービスセンターとの間でデータの送受信を行ない、チャンネルプリセットを行なうようになっている。そして、このような構成を備えることにより、チャンネルパターンが記憶されていない場合であっても、常に最新の情報テーブルを用いてチャンネルプリセットを行なうことができる。
【００１７】
また、本発明に係るテレビジョン受信機は、前記情報テーブルを管理して視聴者に配布するサービスセンターからデジタル放送を通じてデータの受信を行なうとともに、前記サービスセンターは、前記情報テーブルに関する電子データを常時送信し続け、前記情報テーブル記憶部に前記情報テーブルが存在しない場合に、視聴者がチャンネルプリセットを行なう際に前記サービスセンターから前記情報テーブルに関するデータを受信することにより、前記チャンネルプリセット記憶部において、前記所定の地区毎に配布される情報伝達媒体のテレビ番組情報欄に掲載されている放送局に対応するように一連のチャンネルポジションをチャンネルパターンとして抽出記憶し、前記情報伝達媒体のテレビ番組情報欄と一体となったチャンネルプリセットを行なうことを特徴とするものである。
【００１８】
すなわち、本発明に係るテレビジョン受信機は、情報テーブル記憶部にチャンネルパターンが記憶されていない場合に、電話回線等を介することなく、デジタル放送を通じてサービスセンターからデータを受信し、チャンネルプリセットを行なうようになっている。そして、このような構成を備えることにより、チャンネルパターンが記憶されていない場合であっても、常に最新の情報テーブルを用いてチャンネルプリセットを行なうことができる。
【００１９】
【発明の実施の形態】
以下、図面を参照して、本発明に係るテレビジョン受信機の一実施形態を説明する。図１は、本発明の実施形態に係るテレビジョン受信機の構成を示すブロック図である。なお、図１に示す例は、デジタル放送を受信可能なデジタルテレビジョン受信機を示している。
【００２０】
＜テレビジョン受信機＞
図１において、１はアンテナ、２はチューナー部、３は復調回路、４は誤訂正部、５はトランスポートデコーダ、６はＭＰＥＧデコーダ、７はＯＳＤ表示部、８はビデオデコーダ、９は音声ＤＡＣ、１０はＣＰＵ、１１はＦＬＡＳＨＲＯＭ、１２はＲＡＭ、１３は入力Ｉ／Ｆ、１４はＰｏｒｔ、１５はｍｏｄｅｍをそれぞれ示している。
【００２１】
ここで、チューナー部２、復調回路３、誤訂正部４によりフロントエンド部が構成され、トランスポートデコーダ５によりトランスポート部が構成され、ＭＰＥＧデコーダ６、ＯＳＤ表示部７、ビデオデコーダ８、音声ＤＡＣ９によりＭＰＥＧデコード部が構成される。
【００２２】
本発明の実施形態に係るテレビジョン受信機では、アンテナ１で受信されたデジタル放送信号がチューナー部２に入力される。チューナー部２では視聴者の指示に従って所定のチャンネルが選局される。選曲されたデジタル信号は、誤訂正部４により、修復、訂正されてトランスポートストリームデータとなり、トランスポートデコーダ５により、音声信号、映像信号、データ信号に分離される。
【００２３】
さらに、ＭＰＥＧデコーダ６により、映像・音声信号のデータ復調が行なわれ、ビデオデコーダ８により、接続した受像機に適したビデオ信号に復調される。また、音声ＤＡＣ９により、接続した受像機もしくはオーディオ装置に適したオーディオ信号に復調される。
【００２４】
ＣＰＵ１０は、ユーザー操作に応じて入力Ｉ／Ｆ１３から送信されてくるコントロール信号に基づいてチューナー選局を行なうとともに、その他、デジタルテレビジョン受信機全体の制御を司る。
【００２５】
ｍｏｄｅｍ１５は、電話回線等の公衆回線を通じてサービスセンターと接続されており、アナログ／デジタルのデータ変調／復調を行なう。デジタル化されたデータである「各新聞社の各地区毎のＣＨ  Ｔａｂｌｅ」は、Ｐｏｒｔ１４を介してＣＰＵ１０に送られる。そして、ＦＬＡＳＨＲＯＭ１１内に記憶されている「各新聞社の各地区毎のＣＨ  Ｔａｂｌｅ」を最新のデータに書き換える。
【００２６】
ここで、サービスセンターとは、例えば、各新聞社の各地区毎の新聞テレビ欄に掲載されているチャンネルについて、そのチャンネルポジションと周波数を割り付けた最新の情報テーブルを管理するとともに、公衆回線、あるいはデジタル放送等により、各家庭に設置されたテレビジョン受信機に対して当該情報テーブルを電子データとして配信する組織のことをいう。
【００２７】
＜チャンネルプリセット＞
次に、図２〜図６を参照して、本実施形態に係るデジタルテレビジョン受信機におけるチャンネルプリセットの方法を説明する。図２はディスプレイ表示画面の一例を示す模式図（ａ）およびチャンネルプリセット時のマッチングの説明図（ｂ）、図３は公衆回線を用いた情報テーブルの更新例を示す模式図、図４はデジタル放送を用いた情報テーブルの更新例を示す模式図、図５は情報テーブルに記憶がない場合の公衆回線を用いた情報テーブルの更新例を示す模式図、図６は情報テーブルに記憶がない場合のデジタル放送を用いた情報テーブルの更新例を示す模式図である。
【００２８】
デジタルテレビジョン受信機のディスプレイ表示画面には、図２（ａ）に示すように、視聴者が購読している新聞および視聴者の居住地区を示すアイコンが表示される。視聴者は、リモートコントローラ等を用いて所望のアイコンを指定することにより、購読している新聞および居住地区を選択することができる。
【００２９】
このようにして視聴者が選択を行なうと、図２（ｂ）に示すように、ＣＰＵ１０は、視聴者が選択した新聞社及び地区に対して、ＦＬＡＳＨＲＯＭ１１内に既に記憶されている「各新聞社の各地区毎のＣＨ  Ｔａｂｌｅ」との間でマッチングを行ない、マッチした「ＣＨ  Ｔａｂｌｅ」を「プリセットＣＨ  Ｔａｂｌｅ」としてＦＬＡＳＨＲＯＭ１１内の記憶部に保存する。
【００３０】
視聴者がチャンネルアップ・ダウン操作を行なうと、入力Ｉ／Ｆ１３からチャンネルアップ・ダウンのコントロール信号が送信される。ＣＰＵ１０は、ＦＬＡＳＨＲＯＭ１１内に記憶済の「プリセットＣＨ  Ｔａｂｌｅ」のデータに基づいてチューナー部２をコントロールし、選局動作が行なわれる。
【００３１】
また、視聴者が電子番組表を操作すると、入力Ｉ／Ｆ１３からコントロール信号が送信される。ＣＰＵ１０は、ＦＬＡＳＨＲＯＭ１１内に記憶済の「プリセットＣＨ  Ｔａｂｌｅ」のデータに基づいてＯＳＤ表示部７をコントロールし、視聴者が購読している新聞テレビ欄と連動した電子番組表が表示される。
【００３２】
ＦＬＡＳＨＲＯＭ１１内に記憶されている「各新聞社の各地区毎のＣＨ  Ｔａｂｌｅ」を更新するには、図３に示すように、電話回線等の公衆回線を介してサービスセンター（Ｃｅｎ）と接続して、最新の情報テーブルをダウンロードし、既に記憶されている「各新聞社の各地区毎のＣＨ  Ｔａｂｌｅ」と置き換える。
【００３３】
また、デジタル放送を受信可能なテレビジョン受信機の場合には、図４に示すように、デジタル放送を通じて、サービスセンター（Ｃｅｎ）から最新の情報テーブルをダウンロードし、既に記憶されている「各新聞社の各地区毎のＣＨ  Ｔａｂｌｅ」と置き換えることもできる。
【００３４】
さらに、テレビジョン受信機に「各新聞社の各地区毎のＣＨ  Ｔａｂｌｅ」が記憶されていない場合には、図５に示すように、電話回線等の公衆回線を介してサービスセンター（Ｃｅｎ）と接続し、サービスセンター（Ｃｅｎ）からプリセット用チャンネルパターンとして最新の情報テーブルをダウンロードし、ＦＬＡＳＨＲＯＭ１１内に「プリセットＣＨ  Ｔａｂｌｅ」として記憶する。
【００３５】
また、デジタル放送を受信可能なテレビジョン受信機の場合には、図６に示すように、デジタル放送を通じて、サービスセンター（Ｃｅｎ）からプリセット用チャンネルパターンとして最新の情報テーブルをダウンロードし、ＦＬＡＳＨＲＯＭ１１内に「プリセットＣＨ  Ｔａｂｌｅ」として記憶することもできる。この場合、サービスセンター（Ｃｅｎ）から受信した情報テーブルに関して、一時的に仮想テーブルを作成するか、あるいは視聴者の選択（Ｋｅｙ）に合致するデータが送信されて来るのを待ち、ＦＬＡＳＨＲＯＭ１１内に「プリセットＣＨ  Ｔａｂｌｅ」として記憶すればよい。
【００３６】
【発明の効果】
以上説明したように、本発明に係るテレビジョン受信機は、上述した構成を備えているため、以下に説明する効果を奏することができる。
【００３７】
本発明に係るテレビジョン受信機によれば、チャンネルポジションのプリセット機能を有し、視聴者が居住している地区で視聴可能な放送局に関する情報を予め記憶しておき、視聴者が指定を行なうと、新聞、テレビ番組情報誌等のテレビ番組情報欄に掲載されている放送局に対応するようにチャンネルパターンを抽出して記憶することができる。したがって、視聴者（特に高齢の視聴者）にとって、普段購読している新聞のテレビ欄とテレビジョン受信機の視聴可能なチャンネルが連動することとなり、選局を容易に行なうことが可能となる。
【００３８】
また、デジタル放送受信機で電子番組表の表示が可能な場合には、視聴者が普段から購読中の新聞テレビ欄と電子番組表が共通（チャンネルの並び順が同じ）となるので、選局や番組選択がわかりやすくなる。
【００３９】
また、瀬戸内海沿岸などにみられる電波混線地区では、その地区の新聞テレビ欄のチャンネルの並び順に対して、視聴者が理解しやすいような工夫が行われている。この場合、テレビジョン受信機側で、新聞のテレビ欄に合わせてチャンネルプリセットを行なうことにより、このような電波混線地区においても視聴者が容易に選局を行なうことができる。
【００４０】
また、本発明に係るテレビジョン受信機によれば、必要に応じて、電話回線等を介して、あるいはデジタル放送を通じてサービスセンターからデータを受信し、情報テーブルを更新することができる。したがって、常に最新の情報テーブルを備えることができ、中継局の新設や廃止等に対応することができる。
【００４１】
また、本発明に係るテレビジョン受信機によれば、情報テーブル記憶部にチャンネルパターンが記憶されていない場合に、電話回線等を介して、あるいはデジタル放送を通じてサービスセンターからデータを受信し、チャンネルプリセットを行なうことができる。したがって、チャンネルパターンが記憶されていない場合であっても、常に最新の情報テーブルを用いてチャンネルプリセットを行なうことができる。
【００４２】
なお、チャンネルの新設および廃止に伴うテレビ欄の変更時に、新聞社が視聴者（新聞購読者）に対してテレビジョン受信機のチャンネルプリセットを紙面上で促したり、当該新聞社のテレビ欄にユニークなコード（例えば地区要素を含むテレビ欄コード）を掲載しておき、テレビジョン受信機側にコードの入力設定画面等を設けておくことにより、チャンネルプリセットがさらに容易となり、アナログ放送からデジタル放送への移行をスムーズに行なうことが可能となる。
【図面の簡単な説明】
【図１】本発明の実施形態に係るテレビジョン受信機の構成を示すブロック図。
【図２】本発明の実施形態に係るテレビジョン受信機におけるディスプレイ表示画面の一例を示す模式図（ａ）およびチャンネルプリセット時のマッチングの説明図（ｂ）。
【図３】本発明の実施形態に係るテレビジョン受信機における公衆回線を用いた情報テーブルの更新例を示す模式図。
【図４】本発明の実施形態に係るテレビジョン受信機におけるデジタル放送を用いた情報テーブルの更新例を示す模式図。
【図５】本発明の実施形態に係るテレビジョン受信機における情報テーブルに記憶がない場合の公衆回線を用いた情報テーブルの更新例を示す模式図。
【図６】本発明の実施形態に係るテレビジョン受信機における情報テーブルに記憶がない場合のデジタル放送を用いた情報テーブルの更新例を示す模式図。
【符号の説明】
１  アンテナ
２  チューナー部
３  復調回路
４  誤訂正部
５  トランスポートデコーダ
６  ＭＰＥＧデコーダ
７  ＯＳＤ表示部
８  ビデオデコーダ
９  音声ＤＡＣ
１０  ＣＰＵ
１１  ＦＬＡＳＨＲＯＭ
１２  ＲＡＭ
１３  入力Ｉ／Ｆ
１４  Ｐｏｒｔ
１５  ｍｏｄｅｍ
【図１】
2004247938.tif 000003
【図２】
2004247938.tif 000004
【図３】
2004247938.tif 000005
【図４】
2004247938.tif 000006
【図５】
2004247938.tif 000007
【図６】
2004247938.tif 000008